(57)【要約】【課題】足指が隣り合う足指と密着するのを防止して足指を清潔かつ健康に保つことができると共に、その着用が容易であって、快適な着用感であり、見栄えが良く、耐久性の向上が図れる靴下を提供すること。【解決手段】足指全体を覆う爪先部１と、爪先部１の内包空間１ｅと連通する袋体であって、爪先部１に突設される突起部１１，１２と、を備える靴下Ｓにおいて、突起部１１，１２は、爪先部１に使用者の足指全体を挿入した後に、足指の間に反転させて挿入可能に形成してなる。足指の間に突起部１１，１２を反転させて配置して、足指が隣り合う足指と密着するのを防止する。【選択図】図２
2013199729.tif 000002
【特許請求の範囲】
【請求項１】
足指全体を覆う爪先部と、
上記爪先部の内包空間と連通する袋体であって、上記爪先部に突設される突起部と、を備える靴下において、
上記突起部は、上記爪先部に使用者の足指全体を挿入した後に、足指の間に反転させて挿入可能に形成してなる、ことを特徴とする靴下。
【請求項２】
請求項１記載の靴下において、
上記突起部は、上記爪先部の先端、上面若しくは下面に突設してなる、ことを特徴とする靴下。
【請求項３】
請求項１又は２に記載の靴下において、
上記突起部は、上記爪先部に４個突設してなる、ことを特徴とする靴下。
【請求項４】
請求項１ないし３のいずれかに記載の靴下において、
上記突起部を、反転させて足指の間に挿入した後に、反転した上記突起部に挿入可能なパッド部を更に具備してなる、ことを特徴とする靴下。
【請求項５】
請求項４に記載の靴下において、
上記パッド部に、薬剤を含浸してなる、ことを特徴とする靴下。
【発明の詳細な説明】
【技術分野】
【０００１】
本発明は靴下に関する。
【背景技術】
【０００２】
一般に、靴下は、靴を履く際の靴と素足の間の緩衝材とする役割のほか、足を暖かく保つ保温の確保、汗を吸収して乾燥させ通気性を確保する役割で使用されている。靴下は、足の親指から小指までの足指全体を纏めて爪先部に挿入し、収納するものが一般的である。
【０００３】
しかし、靴下は足指全体を纏めて爪先部に収納するため、それぞれの足指が隣り合う足指と密着する構造である。このため、足指に汗をかいたりした場合、細菌が繁殖し易く水虫の原因となると共に、隣り合う足指に水虫の感染が拡大し易い。また、蒸れやすいため異臭の発生原因となる。更には、足指が側方から押圧されることによる外反母祉の原因等になる虞がある。そこで、近年、上記問題点を解決する目的で、足の親指から小指までのそれぞれの指を、爪先部の先端付近に連接された指袋に入れるようにした５本指靴下に関する開発が進められている。
【０００４】
従来、この種の靴下として、靴下本体部の先端に５本指が個々に入る先端部を備えた５本指靴下において、全体が横編により編成されており、靴下本体部は表糸と、この表糸に挿入され裏糸となる弾性糸により構成されており、靴下本体部の先端に繋がる先端部は表糸に弾性糸よりも伸びが小さい弾性糸および表糸と同じ糸か、もしくは別の糸を裏糸として挿入されていて、この先端部では靴下本体部よりも生地を厚くするとともに靴下本体部の編地よりも編目が粗くなるように構成するものが知られている（例えば、特許文献１参照）。
【先行技術文献】
【特許文献】
【０００５】
【特許文献１】特開２００９−１２０９８２号公報
【発明の概要】
【発明が解決しようとする課題】
【０００６】
しかし、特許文献１に記載のものは、足の親指から小指までのそれぞれの指を、５個の指袋にそれぞれ挿入しなければならないため、着用するのに手間がかかる。また、足指の形状、大きさ、指の配置は人によって様々であるため、特にレディメイドによって製作されたものは、５個の指袋のうち一部の指袋が足指にフィットしない等、着用に不快を感じる虞があると共に、人の個体差により一部の指袋に無理な張力が加わって破損及び孔が開き易く耐久性が低い虞がある。更に、特許文献１に記載のものは、着用時の見栄えが悪く羞恥心を抱く使用者が少なくない。
【０００７】
この発明は、上記事情に鑑みてなされたもので、足指が隣り合う足指と密着するのを防止して足指を清潔かつ健康に保つことができると共に、その着用が容易であって、快適な着用感であり、見栄えが良く、耐久性の向上が図れる靴下を提供することを目的とする。
【課題を解決するための手段】
【０００８】
上記課題を解決するために、本発明に係る靴下は、足指全体を覆う爪先部と、  上記爪先部の内包空間と連通する袋体であって、上記爪先部に突設される突起部と、を備える靴下において、  上記突起部は、上記爪先部に使用者の足指全体を挿入した後に、足指の間に反転させて挿入可能に形成してなる、ことを特徴とする（請求項１）。
【０００９】
このように構成することにより、足指の間に突起部を反転させて配置するため、足指が隣り合う足指と密着するのを防止することができる。また、指袋のない一般の靴下と同様に爪先部に使用者の足指全体を挿入した後に、突起部を足指の間に反転させて挿入するのみで着用することができる。
【００１０】
また、足指の間に突起部を反転させて配置する構造であって、足指を仕切る突起部は足指の間で固定されていないため、人の足指の形状、大きさ、指の配置すなわち使用者の個体差に影響されず着用することができる。また、足指を仕切る突起部は足指の間で固定されていないため、突起部に使用者の個体差による張力が発生し難い。
【００１１】
更に、足指の間に突起部を反転させて配置する構造であって、指袋のない一般の靴下とほぼ同様の外観を得ることができる。
【００１２】
この場合、上記突起部は、上記爪先部の先端、上面若しくは下面に突設してもよい（請求項２）。
【００１３】
この場合、上記突起部は、上記爪先部に４個突設してもよい（請求項３）。
【００１４】
このように構成することにより、全ての足指の間に突起部を反転させて配置することができる。
【００１５】
この場合、上記突起部を、反転させて足指の間に挿入した後に、反転した上記突起部に挿入可能なパッド部を更に具備してもよい（請求項４）。
【００１６】
このように構成することにより、足指の間にパッド部を配置することができるため、例えば外反母趾の痛みを緩和することができると共に、外反母趾の矯正及び予防をすることができる。
この場合、上記パッド部に、薬剤を含浸してもよい（請求項５）。
【００１７】
このように構成することにより、足指の間に薬剤を含浸したパッド部を配置することができるため、例えば水虫の治療を効果的にすることができると共に、隣り合う足指への水虫の感染の拡大を効果的に防止することができる。
【発明の効果】
【００１８】
本発明の靴下によれば、足指の間に突起部を反転させて配置するため、足指が隣り合う足指と密着するのを防止することができるので、足指を清潔かつ健康に保つことができる。また、指袋のない一般の靴下と同様に爪先部に使用者の足指全体を挿入した後に、突起部を足指の間に反転させて挿入するので着用が容易である。
【００１９】
また、足指の間に突起部を反転させて配置する構造であって、足指を仕切る突起部は足指の間で固定されていないため、足指の形状、大きさ、指の配置すなわち使用者の個体差に影響されず着用することができるため、快適な着用感を得ることができる。また、足指を仕切る突起部は足指の間で固定されていないため、突起部に使用者の個体差による張力が発生し難く、破損及び孔が開き難いため、耐久性に優れる。
【００２０】
更に、足指の間に突起部を反転させて配置する構造であって、指袋のない一般の靴下とほぼ同様の外観を得ることができるため、見栄えが良い。
【図面の簡単な説明】
【００２１】
【図１】この発明に係る靴下の第１実施形態を示す斜視図である。
【図２】この発明に係る靴下の第１実施形態における着用形態の要部示す平面図（ａ），（ｂ）である。
【図３】この発明に係る靴下の第２実施形態における着用形態の要部示す平面図（ａ），（ｂ）である。
【図４】この発明に係る靴下の第３実施形態を示す斜視図（ａ）及び要部を示す下面図である。
【図５】この発明に係る靴下の第３実施形態におけるパッド部を示す斜視図である。
【発明を実施するための形態】
【００２２】
以下に、この発明に係る靴下の実施形態を添付図面に基づいて詳細に説明する。
【００２３】
＜第１実施形態＞
この発明に係る靴下Ｓは、図１，図２に示すように、足指全体を覆う爪先部１と、踵側を覆う踵部２と、爪先部１と踵部２を結ぶ部分である中間部３と、踵部２に連接して配置され、足首から脛を覆う足首部４と、足首部４の上端側に連接されるずり落ち防止部５と、爪先部１の内包空間１ｅと連通する袋体であって、爪先部１に突設される突起部１１，１２と、で構成されている。
【００２４】
図１，２に示すように、爪先部１は、靴下Ｓの先端１ａから踵側にかけて約数センチ程度までの範囲の足指全体を覆うことが可能な内容空間１ｅを有し、袋状に形成されている。爪先部１には、先端側に先端１ａ、足の甲側に上面１ｂ、足の裏側に下面（図示せず）が形成されている。
【００２５】
突起部１１，１２は、図１，図２（ａ）に示すように、爪先部１の先端１ａに、水平方向に並べて４個突設されており、各足指の間の先端方向に位置するように配置されている。また、突起部１１，１２は、柔軟性のある素材例えば靴下Ｓを編成した素材と同じ素材で編成された袋体であって、その内包空間１１ａ，１２ａが爪先部１の内包空間１ａと連通して形成されている。このように構成することにより、突起部１１，１２を、爪先部１に使用者の足指全体を挿入した後に、全ての足指の間に反転させて挿入することが可能となる。
【００２６】
この場合、図２（ａ）に示すように、第１趾（親指）と第２趾（人差し指）との間の先端方向に突設される突起部１１は、伸長時の高さ４０ｍｍ、直径２５ｍｍの寸法に略砲弾形状に形成されており、他の突起部１２は、長さ３０ｍｍ、直径２０ｍｍの寸法に略砲弾形状に形成されている。なお、突起部１１，１２の形状は適宜設定する事ができるものであって、上記寸法より大きくても小さくてもよい。
【００２７】
次に、第１実施形態に係る靴下の着用手順の一例について説明する。
【００２８】
まず、図２（ａ）に示すように、使用者は、指袋のない一般の靴下と同様に、爪先部１に足指全体を挿入し、中間部３を伸長させて踵を踵部２に合わせた後、ずり落ち防止部５を引っ張り上げて足首部４を足首から脛に沿って伸長させる。これにより、図２（ａ）において一点鎖線で示すように、使用者は、爪先部１に足指全体を挿入することができる。
【００２９】
次いで、手の指を利用して、矢印の方向（図２（ａ）参照）すなわち先端方向と逆方向に突起部１１，１２を足指の間に押し込み、反転させて足指の間に挿入する。この場合、同様に４個の突起部１１，１２全部を足指の間に挿入する。これにより、図２（ｂ）において点線で示すように、４個の突起部１１，１２は、足指の間に配置される。
【００３０】
上記のように構成される靴下Ｓによれば、上述のように構成されているので、足指の間に突起部１１，１２を反転させて配置するため、足指が隣り合う足指と密着するのを防止することができるので、足指を清潔かつ健康に保つことができる。また、指袋のない一般の靴下と同様に爪先部１に使用者の足指全体を挿入した後に、突起部１１，１２を足指の間に反転させて挿入するので着用が容易である。
【００３１】
また、足指の間に突起部１１，１２を反転させて配置する構造であって、足指を仕切る突起部１１，１２は足指の間で固定されていないため、足指の形状、大きさ、指の配置すなわち使用者の個体差に影響されず着用することができるため、快適な着用感を得ることができる。また、足指を仕切る突起部１１，１２は足指の間で固定されていないため、突起部１１，１２に使用者の個体差による張力が発生し難く、破損及び孔が開き難いため、耐久性に優れる。
【００３２】
更に、足指の間に突起部１１，１２を反転させて配置する構造であって、指袋のない一般の靴下とほぼ同様の外観を得ることができるため、見栄えが良い。
【００３３】
＜第２実施形態＞
第１実施形態は、足指全体を覆う爪先部１と、踵側を覆う踵部２と、爪先部１と踵部２を結ぶ部分である中間部３と、踵部２に連接して配置され、足首から脛を覆う足首部４と、足首部４の上端側に連接されるとずり落ち防止部５と、爪先部１の内包空間１ｅと連通する袋体であって、爪先部１に突設される突起部１１，１２と、で構成したが、靴下Ｓ１は突起部１１，１２を反転させ足指の間に挿入した後に、反転した突起部１１に挿入可能なパッド部２０を更に具備してもよい。
【００３４】
図３（ａ）に示すように、パッド部２０は弾性を有する素材例えばスポンジを用いて製作される。この場合、第１趾と第２趾との間に挿入されるパッド部２０は、高さ３０ｍｍ、直径２０ｍｍ、の寸法にて略砲弾形状に形成されている。なお、パッド部２０の形状は適宜設定する事ができるものであって、上記寸法より大きくても小さくてもよい。
【００３５】
次に、第２実施形態に係る靴下の着用手順の一例について説明する。
【００３６】
まず、使用者は、第１実施形態と同様に、爪先部１に足指全体を挿入し、中間部３を伸長させて踵を踵部２に合わせた後、ずり落ち防止部５を引っ張り上げて足首部４を足首から脛に沿って伸長させる。これにより、使用者は、爪先部１に足指全体を挿入することができる。
【００３７】
次いで、手の指を利用して、先端方向と逆方向に突起部１１，１２を足指の間に押し込み、反転させて挿入する。この場合、同様に４個の突起部１１，１２全部を足指の間に挿入する。これにより、図３（ａ）において点線で示すように、４個の突起部１１，１２は、足指の間に配置される。
【００３８】
次いで、図３（ａ），（ｂ）に示すように、パッド部２０を、矢印の方向（図３（ａ）参照）すなわち先端方向と逆方向から、第１趾と第２趾との間に配置された反転した突起部１１に挿入する。これにより、図３（ｂ）において二点鎖線で示すように、パッド部２０は、第１趾と第２趾との間に配置される。
【００３９】
なお、第２実施形態において、その他の部分は上述した第１実施形態と同じであるので、同一部分には同一符号を付して説明を省略する。
【００４０】
上記のように構成される靴下Ｓ１によれば、上述のように構成されているので、第１実施形態の効果に加えて、足指の間にパッド部２０を配置することができるため、例えば外反母趾の痛みを緩和することができると共に、外反母趾の矯正及び予防をすることができるので足指を清潔かつ健康に保つことができる。
【００４１】
なお、上述した実施形態において、パッド部２０に、薬剤を含浸してもよい。例えばパッド部２０に薬剤である水虫薬を含浸してもよい。
【００４２】
上記のように構成することにより、第２実施形態の効果に加えて、足指の間に薬剤を含浸したパッド部２０を配置することができるため、例えば水虫の治療を効果的にすることができると共に、隣り合う足指への水虫の感染の拡大を効果的に防止することができるので足指を清潔かつ健康に保つことができる。
【００４３】
＜第３実施形態＞
第１実施形態は、突起部１１，１２は、爪先部１の先端１ａに、水平方向に並べて４個突設したが、図４（ａ），（ｂ）に示すように、突起部１３，１４は、爪先部７の下面７ａに突設してもよい。
【００４４】
第３実施形態に係る靴下Ｓ２は、図４に示すように、足指全体を覆う爪先部７と、踵側を覆う踵部２と、爪先部７と踵部２を結ぶ部分である中間部３と、踵部２に連接して配置され、足首から脛を覆う足首部４と、足首部４の上端側に連接されるとずり落ち防止部５と、爪先部７の内包空間と連通する袋体であって、爪先部７に突設される突起部１３，１４と、突起部１３，１４を反転させ足指の間に挿入した後に、反転した突起部１３，１４に挿入可能なパッド部２２（図５参照）と、で構成されている。
【００４５】
爪先部７は、靴下Ｓ２の先端７ａから踵側に約数センチ程度までの範囲の足指全体を覆うことが可能な内包空間（図示せず）を有し、袋状に形成されている。図４（ａ），（ｂ）に示すように、爪先部７には、先端側に先端７ａ、足の甲側に上面（図示せず）、足の裏側に下面７ａが形成されている。
【００４６】
突起部１３，１４は、図４（ａ），（ｂ）に示すように、爪先部７の下面７ｂに、水平方向に並べて４個突設されており、各足指の間の下面方向に位置するように配置されている。また、突起部１３，１４は、柔軟性のある素材例えば靴下Ｓ２を編成した素材と同じ素材で編成された袋体であって、その内包空間（図示せず）が爪先部７の内包空間と連通して形成されている。このように構成することにより、突起部１３，１４を、爪先部７に使用者の足指全体を挿入した後に、全ての足指の間に反転させて挿入することが可能となる。
【００４７】
この場合、図４（ｂ）に示すように、第１趾と第２趾との間の下面方向に突設される突起部１３は、伸長時の高さ２０ｍｍ、短径１５ｍｍ、長径３５ｍｍの寸法にて略楕円砲弾形状に形成されており、他の突起部１４は、伸長時の高さ２０ｍｍ、短径１０ｍｍ、長径３０ｍｍの寸法にて略楕円砲弾形状に形成されている。なお、突起部１３，１４の形状は適宜設定する事ができるものであって、上記寸法より大きくても小さくてもよい。
【００４８】
図５に示すように、パッド部２２は弾性を有する素材例えばスポンジを用いて製作され、略平板状の基部２２ａと、基部２２ａと直交する方向に延設される４本の垂直片２２ｂと、各垂直片２２ｂの上端に形成される円形の挿入片２２ｃと、で一体に形成されている。
次に、第３実施形態に係る靴下の着用手順の一例について説明する。
【００４９】
まず、使用者は、第１実施形態と同様に、爪先部７に足指全体を挿入し、中間部３を伸長させて踵を踵部２に合わせた後、ずり落ち防止部５を引っ張り上げて足首部４を足首から脛に沿って伸長させる。これにより、使用者は、爪先部７に足指全体を挿入することができる。
【００５０】
次いで、手の指を利用して、下方から上面方向に突起部１３，１４を足指の間に押し込み、反転させて挿入する。この場合、同様に４個の突起部１３，１４全部を足指の間に挿入する。これにより、４個の突起部１３，１４は、足指の間に配置される。
【００５１】
次いで、パッド部２２の４個の挿入片２２ｃを、下面方向から、各足指の間に配置された反転した４個の突起部１３，１４にそれぞれ挿入する。これにより、パッド部２２は、全ての足指の間に配置される。
【００５２】
なお、第３実施形態において、その他の部分は上述した第１実施形態と同じであるので、同一部分には同一符号を付して説明を省略する。
【００５３】
上記のように構成される靴下Ｓ２によれば、上述のように構成されているので、第１実施形態の効果に加えて、足指の間にパッド部２２を配置することができるため、例えば外反母趾の痛みを緩和することができると共に、外反母趾の矯正及び予防をすることができるので足指を清潔かつ健康に保つことができる。
【００５４】
また、パッド部２２を、靴下Ｓ２を着用した状態で着用する事ができるので、気温が低い場合であっても足を暖かく保ちながら使用することができる。
【００５５】
なお、第３実施形態は、突起部１３，１４は、爪先部７の下面７ｂに突設されていたが、突起部は、爪先部７の上面（図示せず）に突設してもよい。このように構成することにより、第３実施形態の効果と同等の効果を奏することができる。
【符号の説明】
【００５６】
Ｓ，Ｓ１，Ｓ２  靴下
１，７  爪先部
１ａ，７ａ  先端
１ｂ  上面
１ｅ  内包空間
７ｂ  下面
１１，１２，１３，１４  突起部
２０，２２  パッド部
【図１】
2013199729.tif 000003
【図２】
2013199729.tif 000004
【図３】
2013199729.tif 000005
【図４】
2013199729.tif 000006
【図５】
2013199729.tif 000007